(57)【要約】  本発明は、化粧品容器に関し、 化粧品を外部へ排出させる排出手段と、排出手段から化粧品が排出される一側に具備されて、少なくともいずれか一つ以上の吐出口を具備してＳＵＳ３００系列のステンレス金属材質からなる吐出板と、を含む。
2016534761.tif 000002
【特許請求の範囲】
【請求項１】
化粧品を外部へ排出させる排出手段と、
前記排出手段から前記化粧品が排出される一側に具備されていると共に、少なくとも一つ以上の吐出口を具備しており、且つ金属材質からなる吐出板と、
を含むことを特徴とする化粧品容器。
【請求項２】
前記排出手段は、ポンプであることを特徴とする請求項１に記載の化粧品容器。
【請求項３】
前記吐出板は、ＳＵＳ３００系列の金属材質からなることを特徴とする請求項２に記載の化粧品容器。
【請求項４】
前記吐出板は、ＳＵＳ３０４材質からなることを特徴とする請求項３に記載の化粧品容器。
【請求項５】
前記吐出板は、３０１Ｌ、３０４Ｌ、３０４ＬＮ、３０４Ｎ１、３０４Ｊ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質からなることを特徴とする請求項３に記載の化粧品容器。
【請求項６】
前記吐出板は、厚さが０．１ないし１ｍｍであることを特徴とする請求項２に記載の化粧品容器。
【請求項７】
前記吐出板は、厚さが０．２ないし０．３ｍｍであることを特徴とする請求項２に記載の化粧品容器。
【請求項８】
前記吐出板は、鉄、ステンレス、銅、亜鉛、スズ、アルミニウムを含む群から選ばれるいずれか一つからなるか、または前記群から選ばれる少なくとも二つ以上を組み合わせた合金からなることを特徴とする請求項２に記載の化粧品容器。
【発明の詳細な説明】
【技術分野】
【０００１】
本発明は、化粧品容器に関し、より詳細には、吐出される化粧品に冷感效果を与えてユーザーの満足度を高めることができる化粧品容器に関する。
【背景技術】
【０００２】
一般的に広く利用されているファウンデーション（ｆｏｕｎｄａｔｉｏｎ）などのような固形化粧品や日焼け止めのクリームなどのような液体化粧品は、肌を保護すると同時に華やかにし、またしわを改善するなどの效果のために使用される。この時、ユーザーはパフで化粧品をつけた後、肌に塗るような方法で使用することができる。
【０００３】
パフの場合、化粧品の容器内に収容された状態で販売されることができ、一般的にパフなどは、化粧品容器の蓋内部に収容されている場合がある。したがって、ユーザーは化粧品を使うために、蓋を開けてパフを取り出し、パフとパフに具備された弾性紐との間指を入れた状態で、パフを化粧品に接触させることで、パフに所定の量だけの化粧品がつけることができる。
【０００４】
この際、ユーザーは、パフを直接化粧品に接触させなければならないので、ユーザーがパフを利用して化粧品を加圧する圧力によって必要以上の化粧品がパフに付着してしまい、化粧品が無駄使いになるという問題がある。したがって、最近には、スポンジなどに化粧品を含浸させ、ユーザーがパフでスポンジを押すと、スポンジに染みこんでいた液体化粧品が排出されることによってパフに供給されるような方法が開発されている。
【０００５】
しかしながら、このような従来の化粧品容器は、既存の問題と同様に、ユーザーがスポンジを押す圧力によってパフに必要以上の化粧品が付着して出ることがあり、さらには、ユーザーが間違って過剰な圧力でスポンジを加圧すると、パフにおいて肌に直接触れる面のみならず、ユーザーの指に隣接した面まで化粧品が付着してしまい、ユーザーに大きい不便さをもたらすという問題がある。
【０００６】
それだけでなく、従来の場合、ユーザーは、スポンジに含浸されていた化粧品をパフにつけて顔などの肌に接触させて化粧品を塗って、再び繰り返してパフを化粧料が含浸されているスポンジに押して接触させることになるが、この時肌に存在するウイルスやかび、細菌などによって化粧品に深刻な汚染が発生しえる。また、化粧品内に汚染した微生物は、化粧品の使用が完了するまで成長することによって製品の汚染が続き、結果として肌刺激、肌トラブル、肌アレルギー、変臭などの問題をもたらすことになる。ユーザーがこのような不便なことを経験する場合、化粧品を忌避するようになり、美容のために使った製品がむしろ個人の衛生問題と肌トラブルをもたらすことで、深刻な不満を抱くようになる。
【０００７】
このような微生物による汚染を抑制するように化粧品を保管して安全に使用するためには、中身と外部汚染源との接触を最小化する構造が好ましく、また、使用量のみをとり、残りの化粧品残量は安全に微生物の汚染なしに保管状態を維持することができる条件が必要である。
【０００８】
このような問題の解決及び検討は、真剣に解決しなければならない問題であり、このような根本的な解決なしに美容目的として化粧品の使用を勧めることはむしろ深刻な肌に対する副作用を経験することになる。
【０００９】
それだけでなく、ユーザーは一般的に化粧品容器を外出の際に車内の保管場所やハンドバッグなどに保管し、使用時に取り出して使用する場合が大部分である。このような場合、化粧品容器に保管場所の熱気が侵透することによって、そっくりそのまま化粧品の中身の温度が上昇されて熱気が化粧品に潜熱状態で残ることになる。このように温度が高くなった化粧品を肌に使う場合、使用感が低下される。
【００１０】
すなわち、従来の場合、使用時に化粧品の熱気によって蒸し暑い感じを与えることで、さわやかな感じを減少させるだけでなく、化粧品が肌に染みこむ效果をも低下されてしまい、化粧品がじっくりと肌に整頓されたような感じを付与することができなくなるという問題がある。
【先行技術文献】
【特許文献】
【００１１】
【特許文献１】韓国登録特許第１０-１３５５３６４号公報
【発明の概要】
【発明が解決しようとする課題】
【００１２】
本発明は、上記のような従来技術の問題を鑑みて案出されたもので、その目的は、液体化粧品がポンプによって排出されるようにするが、排出される化粧品が上方へ跳ね上がることを防止するために、ポンプの上部にメッシュ形態の網部材を具備して、化粧品使用の便宜性を向上することができる化粧品容器を提供することである。
【００１３】
また、本発明の他の目的は、放射状で排出路が形成されたガイド板がポンプの上部に具備されて、ガイド板の上方に複数の吐出口を有する金属材質の吐出板が具備されることで、化粧品がガイド板の排出路に沿って流れた後、吐出口へ排出されるようにし、化粧品が均等に外部へ排出されるようにした化粧品容器を提供することである。
【００１４】
また、本発明の他の目的は、排出路の形状に対応する部分がメッシュ形態からなる網部材をガイド板の上面に安着させて、網部材の上面に吐出板を安着させ、化粧品が排出路に沿って放射状で流れると同時に、網部材を通過した後に吐出板の吐出口を貫通して外部へ排出されるようにすることで、化粧品が吐出板の上面に跳ね上がることなく漏れるようにした化粧品容器を提供することである。
【００１５】
また、本発明の他の目的は、ガイド板の排出路周辺に縁路を形成し、縁路にシーリング部材を安着させて、化粧品がガイド板の排出路に沿って流動する時外部に漏れることを防止することができる化粧品容器を提供することである。
【００１６】
また、本発明の他の目的は、従来の含浸スポンジの代わりにエアリスポンプを用いて化粧品を排出することで、ユーザーが連続的にポンプを利用して化粧品を排出させて使用できるようにして使用残量を最小化し、化粧品が空気と接触することを防止して揮発性を抑制してユーザーの満足度を向上させることができる化粧品容器を提供することである。
【００１７】
また、本発明の他の目的は、吐出板をステンレス金属材質で形成することで、抗菌性と衛生性を確保し、化粧品が吐出板上面に付着しても容易に拭き上げることができるようにして清潔を維持することができ、金属材質の吐出板が化粧品を冷却させることができるようにして化粧品が塗布されるユーザーの肌に冷感效果を提供し、また吐出板の上面をクロムメッキして化粧品による摩擦の際に吐出板が摩耗されることを防止することができる化粧品容器を提供することである。
【課題を解決するための手段】
【００１８】
上記目的を達成する本発明の一実施例による化粧品容器は、化粧品を外部へ排出させる排出手段と、前記排出手段から前記化粧品が排出される一側に具備されていると共に、少なくとも一つ以上の吐出口を具備しており、且つ金属材質からなる吐出板と、を含むことを特徴とする。
【００１９】
また、前記排出手段は、ポンプであることができる。
【００２０】
また、前記吐出板は、ＳＵＳ３００系列の金属材質からなることができる。
【００２１】
また、前記吐出板は、ＳＵＳ３０４材質からなることができる。
【００２２】
また、前記吐出板は、３０１Ｌ、３０４Ｌ、３０４ＬＮ、３０４Ｎ１、３０４Ｊ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質からなることができる。
【００２３】
また、前記吐出板は、厚さが０．１ないし１ｍｍであることができる。
【００２４】
また、前記吐出板は、厚さが０．２ないし０．３ｍｍであることができる。
【００２５】
また、前記吐出板は、鉄、ステンレス、銅、亜鉛、スズ、アルミニウムを含む群から選ばれるいずれか一つからなるか、または前記群から選ばれる少なくとも二つ以上を組み合わせた合金からなることができる。
【発明の効果】
【００２６】
本発明による化粧品容器によれば、液体化粧品をエアレスポンプ（Ａｉｒｌｅｓｓ  ｐｕｍｐ）で排出させて、ユーザーがパフを利用して化粧品を取って塗るようにするが、化粧品がポンプによって上方へ排出される時、飛び散ることを防止するために、内部に少なくとも一部分がメッシュ形態である網部材を具備したため、ユーザーが便利に化粧品を使用可能にすることができるような効果を奏する。
【００２７】
また、本発明による化粧品容器によれば、化粧品がメッシュ形態を有する網部材を介さなければ外部へ排出されないようにしたため、粘度の低い化粧品を排出させる時にも化粧品の飛び散ることを效果的に防止することができる。
【００２８】
また、本発明による化粧品容器によれば、ポンプより排出された化粧品がガイド板の排出路に沿って放射状で移動した後に網部材を経って吐出板の吐出口に沿って外部へ排出されるようにしたため、吐出板の上面に均等に化粧品が供給されるようにすることができるという効果を奏する。
【００２９】
また、本発明による化粧品容器によれば、ガイド板の排出路周辺に縁路及びシーリング部材を具備したため、化粧品吐出の時にガイド板の外部へ化粧品が漏れることを防止することができるという効果を奏する。
【００３０】
また、本発明による化粧品容器によれば、ＳＵＳ３００系列のステンレス材質で吐出板を製作して使用して吐出板の上面にクロムメッキを形成したため、抗菌性と衛生性などを確保すると同時に金属材質の吐出板を利用して化粧品を冷却させることで、ユーザーの満足度を極大化することができるという効果を奏する。
【００３１】
また、本発明による化粧品容器によれば、熱伝導率に優れた金属材質の吐出板を構成することで、化粧品の使用直前に１回使用分量の小さな量の化粧品を金属材質の吐出板上に吐出させる場合、吐出された化粧品の水気が蒸発されるような效果を起こして、水気蒸発によって化粧品の温度が急激に低下されるようにすることができ、それだけでなく、吐出板に吐出された化粧品に含まれた熱気が熱伝導率に優れた金属材質の吐出板に伝達されて放出されるようにし、化粧品の潜熱をとり除いて化粧品の温度を急激に低下させることで、化粧品の使用直前、肌に適用される化粧品の温度を下げて肌にさわやかな感じを提供することができるという効果を奏する。
【図面の簡単な説明】
【００３２】
【図１】本発明の第１実施例による化粧品容器の斜視図である。
【図２】本発明の第１実施例による化粧品容器の斜視図である。
【図３】本発明の第１実施例による化粧品容器の分解斜視図である。
【図４】本発明の第１実施例による化粧品容器の断面図である。
【図５】本発明の第１実施例による化粧品容器におけるガイド板の平面図である。
【図６】本発明の第１実施例による化粧品容器における網部材の平面図である。
【図７】本発明の第２実施例による化粧品容器の分解斜視図である。
【図８】本発明の第２実施例による化粧品容器の断面図である。
【図９】本発明の第３実施例による化粧品容器のガイド板の平面図である。
【図１０】本発明の第３実施例による化粧品容器の網部材の平面図である。
【図１１】本発明の第４実施例による化粧品容器の斜視図である。
【図１２】本発明の第４実施例による化粧品容器の断面図である。
【図１３】本発明の第４実施例による化粧品容器のロックキング部の斜視図である。
【図１４】本発明による化粧品容器の冷感效果に対するユーザーの満足度を示すグラフである。
【図１５】本発明による化粧品容器の温度変化を示すグラフである。
【図１６】本発明による化粧品容器の細菌繁殖度を示すグラフである。
【図１７】従来の含浸スポンジに対する汚染度を示す図面である。
【図１８】本発明による化粧品容器の吐出板材質による摩耗を示す図面である。
【発明を実施するための形態】
【００３３】
本発明の目的、特定の長所及び新規な特徴等は、添付された図面に係わる以下の詳細な説明と好ましい実施例からさらに明らかになる。本明細書で各図面の構成要素らに参照番号を付けることにおいて、同一の構成要素らに限っては、たとえ他の図面上に表示されてもできる限り同一の番号を有するようにしている事に留意しなければならない。また、本発明を説明するにあたり、関連公知技術についての具体的な説明が本発明の要旨を不必要に曇る場合があると判断される場合、その詳細な説明は略する。
【００３４】
以下、添付された図面を参照して本発明の好ましい実施例について詳しく説明する。図１及び図２は、本発明の第１実施例による化粧品容器の斜視図である。図１は、蓋８０が閉められている状態を示しており、図２は蓋８０が開かれている状態を示した図である。
【００３５】
また、図３は本発明の第１実施例による化粧品容器の分解斜視図で、図４は、本発明の第１実施例による化粧品容器の断面図である。図１ないし図４を参照すれば、本発明の第１実施例による化粧品容器１は、容器本体１０、ポンプ２０、ガイド板３０、網部材４０、吐出板５０、縁部６０、外側カバー７０、及び蓋８０を含む。
【００３６】
容器本体１０は、内部に化粧品を収容する。容器本体１０に貯蔵されている化粧品は、後述するポンプ２０によって外部へ排出されることができ、この時、化粧品は液体化粧品を含むことができる。
【００３７】
容器本体１０は、下部本体１２と上部本体１１とを含んで構成され、下部本体１２が上部本体１１に結合されることで、容器本体１０が密閉されることができる。容器本体１０を下部と上部とに区分するのは、容器本体１０に化粧品を容易に収容するためである。
【００３８】
具体的に、下部本体１２は、内部が陷沒された形状を有するが、化粧品を貯蔵するためにまず下部本体１２の内部に化粧品を盛って、上部本体１１を下部本体１２の上部に結合して上部本体１１が下部本体１２を覆うようにすれば、容器本体１０に簡単に化粧品を充填することができる。
【００３９】
もちろん、本実施例では、容器本体１０を下部本体１２と上部本体１１からなることに限定せず、容器本体１０には、別途の化粧品供給用開閉口（図示せず）が形成されて、化粧品が開閉口を介して容器本体１０の内部に収容された後、開閉口が密閉されるようにして容器本体１０に化粧品を充填することもできる。すなわち、本実施例では、容器本体１０の形態や構造などを特に限定するものではなく、化粧品を収容することができる空間が形成されればどのような形態の容器本体でも使用可能である。
【００４０】
容器本体１０には、ポンプ２０が具備されることができるが、具体的には、容器本体１０の上部中央にポンプ２０が具備されることができる。したがって、容器本体１０に収容されている化粧品はポンプ２０によって容器本体１０の上方へ排出されることができる。
【００４１】
容器本体１０の内部には、加圧板１３が形成されることができる。加圧板１３は、容器本体１０に収容された化粧品がポンプ２０によって抜けて行く時に、容器本体１０の体積が減少して内部の圧力が減ることによって容器本体１０が破損することを防止することができる。すなわち、加圧板１３は化粧品が排出されるほど下降し、化粧品が貯蔵された空間の圧力を一定に維持することができる。この際、加圧板１３の下降を可能にするために、容器の上部には外部から空気が流入できるようにする空気流入口１４が形成されることができる。
【００４２】
ポンプ２０は、容器本体１０に具備されて化粧品を外部へ排出させる。ポンプ２０は、エアレスポンプであることができるし、容器本体１０に収容されている液体化粧品を吸いこんで容器本体１０の外部である容器本体１０の上方へ排出させることができる。この際、排出された化粧品は後述するガイド板３０、網部材４０、吐出板５０を経ってユーザーのパフが接近することができる外部へ露出することができる。
【００４３】
ポンプ２０は、シリンダー２１、ピストン２２、昇降部材２３で構成されることができる。シリンダー２１は、中空２１１を有する形態で容器本体１０の中央部分に結合され、容器本体１０と一体で製作されることができる。シリンダー２１の内部には、ピストン２２とピストンリング２４とが具備されることができ、シリンダー２１の下部には化粧品の流入のための第１の孔２１２が形成されることができる。
【００４４】
ピストン２２は、シリンダー２１の内部に具備されて、上下運動によって容器本体１０内の化粧品を外部の上部へ排出させる。ピストン２２は、内部に化粧品が通過できるようにする中空２２１が形成されることができ、ピストン２２の下面には外部へ突出されるフランジ２２３が具備されることができる。また、ピストン２２の外周面には化粧品が流入されることができる第２の孔２２２が形成されることができる。
【００４５】
ピストン２２の外周面にはピストンリング２４が具備されて、ピストン２２とシリンダー２１との間の密閉を具現する。ピストンリング２４は、外側がシリンダー２１に接して、内側がピストン２２または後述する昇降部材２３に接することができ、ピストン２２及び昇降部材２３によって上下運動することができる。この際、ピストンリング２４の上方運動はフランジ２２３によって具現されて、昇降部材２３によって制限され、下方運動は昇降部材２３によって具現されてフランジ２２３によって制限されることができる。
【００４６】
昇降部材２３は、ピストン２２の上部に結合され、外力によって降りる時にピストン２２を加圧する。昇降部材２３は、ピストン２２の上部を取り囲みながらピストン２２に結合されることができ、ピストン２２と一緒に上下に動くことができる。昇降部材２３の下側には、ピストンリング２４が結合されることができる。
【００４７】
昇降部材２３とシリンダー２１との間には、ピストンリング２４が具備されるが、追加的な密閉のためにポンプ２０は密閉部材２５をさらに含むことができる。密閉部材２５は、シリンダー２１の外側を取り囲みながらシリンダー２１の上部の一部分を覆う形態で具備され、昇降部材２３の下部の縁に密着されることができる。
【００４８】
また、ポンプ２０は、昇降部材２３及びピストン２２に上方弾性力を提供するために弾性部材２６をさらに含むことができる。弾性部材２６は、スプリングであることができ、上端が昇降部材２３の下面に密着され、下端がシリンダー２１または密閉部材２５の上面に密着されて昇降部材２３を押し上げることができる。
【００４９】
以下ではポンプ２０の作動原理について説明する。まず、昇降部材２３が下降すると、ピストン２２も同様に下降するようになり、ただし、ピストンリング２４はシリンダー２１の内面との摩擦によって下降しないことで、ピストン２２の外周面に形成された第２の孔２２２はピストンリング２４から外れてシリンダー２１の内部空間と連通される。
【００５０】
この際、ピストンリング２４は昇降部材２３の下降が持続すると、昇降部材２３によって押されて下降するようになり、シリンダー２１の内部空間の体積を減少させるようになってシリンダー２１の内部空間は圧力が上昇することになる。したがって、圧力が高くなったシリンダー２１の内部空間に位置していた化粧品は、シリンダー２１の内部空間と連通されているピストン２２の外周面の第２の孔２２２を介してピストン２２の内部に沿って排出される。この場合、ポンプ２０は化粧品の逆流を防止するために、シリンダー２１の中央下部に形成された第１の孔２１２に逆流防止部材２７を具備することができる。
【００５１】
反対に、昇降部材２３が弾性部材２６によって上昇するようになると、ピストンリング２４は、下降時と同様に、シリンダー２１の内面との摩擦によって停止していて、ピストン２２のフランジ２２３によって上昇することになる。
【００５２】
この際、ピストン２２のフランジ２２３にピストンリング２４が密着されると、ピストン２２の外周面の第２の孔２２２は閉鎖される。また、ピストンリング２４が上昇すると、シリンダー２１の内部空間の体積が増加するので、シリンダー２１の内部空間は低圧状態となる。したがって、容器本体１０に収容された化粧品は、シリンダー２１内部に自然に流入される。このような過程を繰り返すことで、ポンプ２０は容器本体１０に収容された化粧品を外部へ排出させることができる。
【００５３】
もちろん、本実施例がポンプ２０の構成を上記のように限定するのではなく、ポンプ２０はエアリスポンプの外にも多様な方法を使用することができる。すなわち、ポンプ２０は容器本体１０から化粧品を排出させることができれば、どんな構成でも使用可能である。
【００５４】
また、本実施例では、排出手段としてポンプ２０を使用することの代りに、液状の化粧品が含浸されているスポンジを使用することができる。スポンジは、後述するガイド板３０などによって加圧されることによって、内部に収容している化粧品をガイド板３０の排出口３１を介して外部へ排出させることができる。
【００５５】
この際、スポンジは、ポリアミド、ポリエステル、ポリエーテル、ポリウレタン、ポリエチレン、ポリスチレン、ポリオレフイン、ポリビニールアルコール、ポリアミド、ポリエステル、ポリプロピレン、ポリアクリル、ポリビニールクロライド、エポキシレジン、海錦、ナイロン、木綿、不織布などを含む群から選ばれる少なくともいずれか一つ以上によって構成されることができる。
【００５６】
ガイド板３０は、ポンプ２０の上部に結合されてポンプ２０によって排出される化粧品をガイドする。ガイド板３０は、ポンプ２０と後述する網部材４０との間に具備されてポンプ２０の昇降部材２３に結合されることができ、ガイド板３０の下降は、昇降部材２３の下降を具現することができる。ガイド板３０については図５を参照して詳しく説明する。
【００５７】
図５は、本発明の第１実施例による化粧品容器におけるガイド板の平面図である。図５を参照すれば、本発明の第１実施例による化粧品容器１のガイド板３０は、ポンプ２０の出口と対応する位置に排出口３１が具備されることができる。ポンプ２０の出口とは、ピストン２２の中空２２１部分を意味し、排出口３１はガイド板３０の中央に位置することができる。
【００５８】
また、ガイド板３０は、排出口３１と連通されて排出口３１を中心に放射状で形成される排出路３２をさらに含むことができる。化粧品は、ピストン２２の内部中空２２１を経ってガイド板３０の排出口３１へ排出されるが、後述する吐出板５０には排出口３１と対応する位置に吐出口５１が設けられていないこともできる。すなわち、ガイド板３０の排出口３１を介して上方へ排出された化粧品は、上方の動きが吐出板５０によって遮断される。
【００５９】
この際、化粧品は排出路３２に沿って放射状で流れるようになり、このように排出口３１を外部と連通させないのはポンプ２０作動の際、化粧品が吐出板５０の中央にのみ集中的に排出されることを防止するためである。
【００６０】
排出路３２は、放射状で複数個が形成されることができ、図面では８個を図示しているが、本発明は排出路３２の個数を限定しない。ただし、排出路３２は、放射状対称形態で具備されることによって化粧品が均等に排出されるようにすることができる。
【００６１】
また、ガイド板３０は、排出路３２の周辺に形成される縁路３３をさらに含むことができる。化粧品は、ポンプ２０によって排出され、排出路３２に沿って流れるようになるが、必要以上の化粧品が排出されれば化粧品がガイド板３０の外側面に沿って漏れて容器本体１０などを汚染させることがあり、本発明を把持しているユーザーの手にも化粧品が付着するようになって、ユーザーに不快さを与えることが生じる。したがって、本実施例では、排出路３２の周辺に縁路３３を形成して、排出路３２から化粧品が溢れ出る時、縁路３３が化粧品を外部に漏れないように遮断することができる。
【００６２】
この際、縁路３３は、排出路３２から離隔設置されて排出路３２と連通されないように具備することができ、排出路３２が放射状で形成されるため、縁路３３は放射状の排出路３２を取り囲む花模様、または円形などで形成されることができる。すなわち、縁路３３は上方から眺める時、排出路３２が形成された部分には外側へふくらんでいて、排出路３２が形成されない部分には内側でふくらんでいる形状であることができる。
【００６３】
縁路３３には、シーリング部材３４が安着されることができる。シーリング部材３４は、ゴムなどの材質からなり、縁路３３と同様に花模様または円形などの形態を有することができ、シーリング部材３４が縁路３３に配置されることによって縁路３３まで化粧品が到逹しても化粧品はシーリング部材３４によって塞がれてガイド板３０の外側へ排出されないことも可能である。
【００６４】
本実施例のガイド板３０は、縁路３３の外側に追加で円形の補助縁路（図１２の３８参照）をさらに具備することができ、この際、円形の補助縁路には円形のパッキング材（図１２の３９参照）が具備されることができる。円形のパッキング材は、発砲ゴムや発砲ウレタンなどの発砲材質で製作され、シーリング部材３４とともに化粧品の漏れを防止することができる。したがって、本実施例では、１次的に縁路３３に具備されたシーリング部材３４によってシーリングし、２次的に補助縁路に具備されたパッキング材によってシーリングすることができるため、二重密閉構造によってポンプ２０から排出された化粧品が外部へ抜けて行くことを完壁に遮断することができる。
【００６５】
網部材４０は、ポンプ２０から化粧品が排出される一側に具備されて、少なくとも一部分がメッシュ形態で形成される。網部材４０は、ポンプ２０の上部に具備され、具体的にはガイド部の上面に安着されることができる。この際、ガイド板３０は網部材４０の安着のためにガイドリブ３５が形成されることができ、網部材４０は、ガイド板３０のガイドリブ３５内に安着されることができる。
【００６６】
網部材４０に対しては図６を参考して詳しく説明するようにする。
【００６７】
図６は、本発明の第１実施例による化粧品容器における網部材の平面図である。図６に示されたように、本発明の第１実施例による化粧品容器１の網部材４０は、一側に陷沒部４２が形成され、ガイド板３０はガイドリブ３５の内側に突出部３６が形成され、網部材４０は、陷沒部４２が突出部３６にかみ合わされるときにガイドリブ３５内に安着されることができる。すなわち、網部材４０がガイド部材に結合される時、網部材４０の安着角度は、陷沒部４２及び突出部３６によって限定されうる。もちろん、反対に網部材４０に突出部が形成され、ガイド板３０に陷沒部が形成されて網部材４０の安着角度が制限される場合もある。
【００６８】
この際、網部材４０の安着角度とは、網部材４０の中心を垂直に貫通する線を基準として網部材４０が回転する時の角度の中で、網部材４０がガイド板３０に安着されることができる特定の角度を意味する。
【００６９】
網部材４０の安着角度を限定するのは、放射状で形成されたガイド板３０の排出路３２と網部材４０のメッシュ部分４１を対応させるためである。もちろん、網部材４０のメッシュ部分４１が排出路３２をすべて覆う円形で具備される場合には、網部材４０の安着角度を必ずしも限定する必要はないが、網部材４０のメッシュ部分４１が円形で形成されることによって縁路３３にも密着される場合、化粧品がメッシュ部分４１に乗って排出路３２から縁路３３に伝達されてシーリング效率が低下されることが生じ得る。
【００７０】
したがって、メッシュ部分４１は排出路３２をすべて覆うが、縁路３３には対応されないようにする形状及び大きさを有することができる。すなわち、具体的な例示として、縁路３３が花模様の場合、メッシュ部分４１は放射形態であることができるが、陷沒部４２と突出部３６とによって網部材４０の安着角度が限定されることはなく、縁路３３が円形の場合、メッシュ部分４１は円形であることもでき、網部材４０の安着角度の限定が必要ではない。ただし、縁路３３が円形であってもメッシュ部分４１が放射形態であればメッシュ部分４１と吐出路を対応させなければならないので、網部材４０の安着角度が限定されなければならない。ただし、網部材４０の安着角度は、排出路３２の個数に応じて複数に限定されることができるので、陷沒部４２と突出部３６は複数で具備されることができる。
【００７１】
網部材４０は、上記のようにメッシュ部分４１が形成されているので、ガイド板３０を介して排出された液体化粧品がメッシュ部分４１を通過できるようにすることができ、この場合網部材４０は、化粧品の飛び散ることを防止することができる。すなわち、網部材４０のメッシュ部分４１が化粧品の動きを多少阻止することができるため、ユーザーがポンプ２０を作動して化粧品を外部へ排出させても、化粧品は滑らかに吐出板５０の吐出口５１に沿って流れるようになるだけで、跳ね上がらなくなる。この際、網部材４０のメッシュ部分４１は、ポリエステル、ナイロン、ウール、木綿のような纎維または混紡糸が使用可能であり、また、鉄、亜鉛、銅、またはこれらの金属の合金及びメッキされた金属などのような多様な材質で製作されることができる。その他にも中身の成分と粘性及び用途、そして製品の安全性などを考慮して適切な材質が選択されることができる。
【００７２】
したがって、本実施例では、ポンプ２０を利用して化粧品を抜き出して使うようにするが、網部材４０のメッシュ部分４１が化粧品の排出を阻止することで、外部へ排出される化粧品は跳ね上がらずに吐出板５０に均一に供給されることができる。これにより、本実施例では本実施例が使用される空間を汚染させることなく、ユーザーの便宜性を向上させることができる。
【００７３】
吐出板５０は、網部材４０の上面に具備されて複数の吐出口５１を具備する。吐出板５０はさびの発生が防止される鉄、ステンレススチール、銅、亜鉛、スズ、アルミニウムなどのような金属材質で形成されることができ、またこのような素材の合金またはメッキされた金属材質で構成されることができる。特に、吐出板５０にメッキをする場合、クロム、銅、銀、金などのように耐食性と防汚性、抗菌性能、そして美しさと美麗さを付与してユーザーらに高級感を与えることができ、衛生性を満足させることのできる材質を使用することが好ましく、網部材４０のメッシュ部分４１またはガイド板３０の排出路３２に対応する位置に吐出口５１を具備することができる。
【００７４】
この際、吐出板５０は、厚さが０．１ないし１ｍｍ（好ましくは０．２ｍｍないし０．３ｍｍ）で、アルミニウム、アルミニウム合金、ステンレスなどのように腐食に強くてさびない金属素材で構成されることができ、セラミックスのような素材で構成されることも可能である。
【００７５】
具体的に、吐出板５０は、ステンレスとして耐食性、耐酸性、耐熱性が良好なＳＵＳ３００系列の中でＳＵＳ３０４材質が可能であり、特に、抗菌性と衛生性を向上させるために、３０４Ｊ１材質からなることも可能である。
【００７６】
もちろん、本実施例では、吐出板５０の材質をこれに限定せず、３０４系列を含む３０１Ｌ、３０４Ｌ、３０４ＬＮ、３０４Ｎ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質で構成されることができる。
【００７７】
したがって、本実施例ではＳＵＳ３００系列のステンレスからなる吐出板５０を使用することで、ポンプ２０を介して排出される化粧品が安着されて、化粧品が持続的に接触している吐出板５０上面の衛生を清潔に維持することができ、腐食などを效果的に防止することができる。
【００７８】
また、本実施例では、金属材質の吐出板５０を利用することによって吐出板５０が熱を效率的に発散できるようにして、化粧品の温度を下げる冷却效果を具現することができる。
【００７９】
本実施例では、前述したようにポンプ２０の代わりに含浸スポンジを使用することができるが、含浸スポンジを使用する場合には金属材質の吐出板５０が含浸スポンジを加圧するのに使用されることができる。
【００８０】
ただし、吐出板５０が含浸スポンジを直接加圧すると、含浸スポンジが吐出板５０と持続的に接触することによって、吐出板５０の温度が含浸スポンジの温度と平衡を保つようになって、含浸スポンジから化粧品が排出される際に、吐出板５０による化粧品の冷却が行われない場合があり、また、吐出板５０の吐出口５１を介して空気が含浸スポンジに流入されて含浸スポンジに収容された化粧品の汚染が発生し得る。
【００８１】
しかしながら、実施例では、含浸スポンジを使用するとしても吐出板５０と含浸スポンジとの間にガイド板３０と網部材４０などが配置されるようにして、吐出板５０を含浸スポンジなどの排出手段から離隔させて上記のような短所が発生しないようにすることができる。
【００８２】
すなわち、本実施例では、化粧品を排出する排出手段から吐出板５０を離隔させ、吐出板５０が化粧品の温度より相対的に低い温度を維持できるようにすることで、排出手段を介して排出される化粧品が吐出板５０に接触する際に、冷却されるようにしてユーザーに極度の満足感を提供することができる。
【００８３】
さらに、本実施例では、排出手段としてエアリスポンプ２０を利用することができるので、吐出板５０に形成された吐出口５１を介して空気が流入されてもポンプ２０の内部に収容された化粧品に空気が伝達されないようにし、化粧品を汚染から保護することができる。また、本実施例では、ポンプ２０を利用する場合、含浸スポンジを使う場合に比べて使用残量を約５％前後に最小化することができる。
【００８４】
吐出板５０は、上面に化粧品が接触しているようになるが、ユーザーがパフなどを利用して吐出板５０の上面に付着していた化粧品を擦る時、化粧品に含まれる粉末などによって吐出板５０上面の摩耗が起き得る。したがって、本実施例は、吐出板５０の上面をコーティングするかまたは特定の物質でメッキをすることで、ユーザーが化粧品を吐出板５０の上面で擦っても吐出板５０の耐久度が低下されることを防止することができる。
【００８５】
この際、吐出板５０には吐出板５０を構成する金属と異なる金属がメッキされることができ、異例的にクロムメッキが行われることができる。具体的に、吐出板５０には３価クロムメッキまたは６価クロムメッキが適用されることができる。
【００８６】
このように本実施例では、吐出板５０を金属材質で形成し、少なくとも一面にクロムをメッキすることで、衛生性と抗菌性及び耐久性をすべて確保することができ、また、吐出板５０に付着している化粧品が簡便に拭かれるようにすることで、清潔な使用ができるようにしてユーザーの便宜性を向上させることができる。これは、本実施例が吐出板５０の上面に別途の部材が置かれないようにして吐出板５０の上面が直接外部に露出するようにすることで可能である。
【００８７】
ガイド板３０の排出路３２は放射状で形成されて、網部材４０のメッシュ部分４１は、ガイド板３０の排出路３２を覆う形態を有するため、吐出口５１は排出路３２と同様に放射状で具備されることができる。
【００８８】
この際、放射状で具備される吐出口５１は、吐出板５０の中心より遠ざかるほど直径が大きくなることができる。化粧品は、ポンプ２０によって中央から排出されてガイド板３０の排出路３２に沿って流れるようになるので、中心より遠ざかるほど相対的に化粧品の流量が減少するようになる。したがって、吐出口５１の直径をすべて同一にすると、吐出板５０の上面には化粧品が均一に分布されないこともあるので、吐出口５１は中心より遠ざかるほど大きく形成することが好ましい。
【００８９】
吐出口５１は、前に説明したように、吐出板５０の中心部分には形成されないことがある。吐出板５０の中心部分に吐出口５１が形成されると、ガイド板３０を強く加圧する時、化粧品がガイド板３０の排出口３１と網部材４０とのメッシュ部分４１、吐出板５０の吐出口５１を一度に貫通しながら跳ね上がることもあるからである。
【００９０】
吐出板５０に形成された吐出口５１は、直径が０．１ないし１ｍｍで、非常に小さい場合がある。吐出口５１の直径を小さくするのは、ユーザーがポンプ２０によって吐出板５０の上部へ排出される化粧品の量を容易でかつ細密に調節できるようにするためであり、さらに吐出口５１を介して異物が内部に流入されないようにするためである。
【００９１】
具体的に、吐出口５１は、吐出板５０の中心を基準として４５°の間隔で放射状に具備されることができ、吐出板５０の中心部分より遠ざかる一定の方向に３個が並んで具備されることができる。この際、並んで具備される３個の吐出口５１は、吐出板５０の中心より近い順序で０．３ｍｍ、０．４ｍｍ、０．５ｍｍの直径を有することができる。
【００９２】
したがって、本実施例では、エアリスポンプタイプのポンプ２０に上記のような非常に小径を有する吐出口５１を具備した吐出板５０を使用するので、化粧品が空気と接触されるのを最大限遮断することにより、化粧品に含まれた一部の成分が揮発されることを十分に防止することができる。
【００９３】
このように吐出口５１が非常に小径を有することによって、吐出板５０を射出法で製作する場合には吐出口５１の正確な製作が難しい。したがって、本実施例では、吐出板５０を製作した後、吐出口５１をエッチング法で成形し、０．１ｍｍの吐出口５１を製作することができる。
【００９４】
吐出板５０の吐出口５１を放射状で形成されるガイド板３０の排出路３２と対応させるために、ガイド板３０には一側に突起３７が形成され、吐出板５０には突起３７に結合される結合口５２が形成されることができる。すなわち、吐出板５０は結合口５２にガイド板３０の突起３７が結合されるようにすることで、ガイド板３０に安着されることができ、これは前述の網部材４０で説明したように吐出板５０の安着角度を制限するためである。これに関して詳細な内容については前述した陷沒部４２及び突出部３６部分で説明した内容で代替する。
【００９５】
縁部６０は、ガイド板３０の上部及び容器本体１０に結合される。縁部６０は、内側縁部６１と外側縁部６２と、を含むことができる。内側縁部６１は、吐出板５０の縁を取り囲みながらガイド板３０に結合され、ガイド板３０と網部材４０、吐出板５０が圧搾された状態で固定されるようにすることができる。この際、内側縁部６１の内部は、貫通された状態で、吐出板５０が外部へ露出するようにして吐出板５０の上面へ排出された化粧品を外部へ露出させることができる。
【００９６】
内側縁部６１は、吐出板５０と一体型で製作されることができる。これは、内側縁部６１の下降の際、吐出板５０が一緒に下降する構成であるから可能である。この場合、内側縁部６１の材質は、吐出板５０の材質と同一または類似しており、一例として、鉄、ステンレススチール、銅、亜鉛、スズ、アルミニウムなどのような金属材質またはこれらの素材の合金またはメッキされた金属材質で構成されることができる。また、内側縁部６１は、美観の向上、耐久性の向上などのような效果を有するために、吐出板５０と類似にクロム、銅、銀、金などの金属材質でメッキされることができる。
【００９７】
外側縁部６２は、内側縁部６１の外側に具備されて、容器本体１０に結合されることができる。ただし、外側縁部６２は内側縁部６１に固定されることなく、内側縁部６１の昇降を許容しながら内側縁部６１の外側を取り囲むことができる。このために内側縁部６１の外面には、内側鋸歯６１１が形成されて、内側縁部６１の内面には外側縁部６２の内側鋸歯６１１に対応する形態の外側鋸歯６２１が形成され、外側縁部６２によって内側縁部６１の回転は制限され、昇降は許容され得る。
【００９８】
外側縁部６２の側面の中で後述する蓋８０のヒンジ結合部分及び掛け部７２が形成された部分は、結合の際に構成間の干渉を回避するために陷沒されている。
【００９９】
外側縁部６２は、後述する外側カバー７０に結合されることができ、内側縁部６１は、外側縁部６２を基準に昇降されてポンプ２０を作動させることができる。すなわち、ユーザーは、外側カバー７０を把持した状態で内側縁部６１の内側にある吐出板５０をパフ（図示せず）などで加圧すれば、外側カバー７０に結合された外側縁部６２の内側で吐出板５０と結合された内側縁部６１が下降しながら、ガイド板３０が一緒に下降してポンプ２０が作動することによって、化粧品が吐出板５０の上面及び内側縁部６１の奥側へ供給されることができる。したがって、ユーザーは吐出板５０の上面に露出した化粧品をパフなどで取って肌に擦って使用することができる。
【０１００】
外側カバー７０は、容器本体１０の周辺を取り囲む構成である。外側カバー７０は容器本体１０が安着される空間を有する。ただし、外側カバー７０には下方に容器本体１０が露出するようにした開放部７１が形成されることができる。これは、ユーザーが外側カバー７０の開放部７１を介して容器本体１０を上方へ押し上げると、容器本体１０などが分離されるようにして、容器本体１０の交換ができるようにするためである。
【０１０１】
外側カバー７０の上面は、外側から中心に向かう方向に沿って順次に外側縁部６２、内側縁部６１、吐出板５０によってカバーされることができる。したがって、ユーザーはガイド板３０や網部材４０、ポンプ２０などを外部から見ることができないので、本実施例は、美観を向上させてユーザーの満足度を高めることができる。
【０１０２】
外側カバー７０には掛け部７２が含まれることができる。掛け部７２は、蓋８０に結合されて蓋８０の開放を遮断するもので、ボタン７２１と掛け金７２２が一体型で構成されることができる。すなわち、掛け部７２は、ユーザーがボタン７２１を押すと、掛け金７２２をも加圧方向に動き、掛け金７２２が蓋８０から離脱されるようにして、蓋８０の開閉を制御することができる。
【０１０３】
蓋８０は、外側カバー７０の一側（本実施例では上側）を開閉する。蓋８０は、一側が外側カバー７０にヒンジ結合されることができ、ヒンジの中心を基準に回転して外側カバー７０の上部を開放させることができる。この際、蓋８０は、前に説明した掛け部７２によって外側カバー７０の上部を密閉した状態で固定されることができる。
【０１０４】
蓋８０は、外側カバー７０にヒンジ結合されるが、ヒンジ結合部分にはスプリングなどを具備して掛け部７２によって蓋８０のロッキングが解除されると、自動的に蓋８０が開放されるようにすることができる。
【０１０５】
蓋８０の内側には、鏡８１が具備されることができ、ユーザーは蓋８０を開けて鏡８１を見ながら吐出板５０または内側縁部６１を加圧して化粧品を容器本体１０から排出させて使用することができる。
【０１０６】
このように、本実施例では、ポンプ２０から化粧品が排出される時、網部材４０によって化粧品の移動がかかるようにすることで、化粧品が吐出板５０の上面から噴出されることを防止してユーザーが便利でかつ清潔に化粧品を使用できるようにすることができる。
【０１０７】
図７は、本発明の第２実施例による化粧品容器の分解斜視図で、図８は本発明の第２実施例による化粧品容器の断面図である。図７及び図８を参照すれば、本発明の第２実施例による化粧品容器は、ボタン部９０をさらに含むことができる。
【０１０８】
以下では本実施例における構成の中で第１実施例と異なる部分を重点的に説明する。ただし、本実施例の構成が第１実施例の構成と図面符号が同一であるからと言って必ずしも同じ構成を意味するものではない。
【０１０９】
ガイド板３０は、後述するボタン部９０が位置する空間を確保するために、一側が切断された円形の板状を有することができ、この場合、第１実施例で言及した突起が省略されることができる。ただし、ガイド板３０の上部に形成される排出口３１と排出路３２などは、第１実施例と同一であることができる。
【０１１０】
吐出板５０は、ガイド板３０と同様に、一側が切断された円形の板状を有し、結合口５２が省略される。ガイド板３０と吐出板５０は共に、一側が切断された円盤形態を有するので、第１実施例に含まれる突起や結合口を具備しなくとも円滑に整列が可能である。
【０１１１】
縁部６０は、ガイド板３０の上部及び容器本体１０に結合される。本実施例では、ボタン部９０を利用してポンプ２０を可動させることができるので、本実施例の縁部６０は、第１実施例の縁部６０とは異なり、一体型である一つの胴体で構成されることができ、容器本体１０に堅固に固定されて昇降ができないこともできる。
【０１１２】
縁部６０には、後述するボタン部９０の一側が外部へ露出するようにした貫通口６３が形成されることができる。後ほど説明するが、ボタン部９０は突起部９３がユーザーによる押されることによってポンプ２０を作動させるので、突起部９３はユーザーの加圧を可能にするために外部へ露出することが好ましい。したがって、縁部６０は貫通口６３を具備してユーザーが容易にボタン部９０を使用できるようにすることができる。
【０１１３】
ボタン部９０は、ポンプ２０の上部に具備されて、加圧によってポンプ２０を作動させる。ボタン部９０は、縁部６０の貫通口６３を介して露出した部分がユーザーによって加圧されると、ポンプ２０の昇降部材２３を下降させてポンプ２０に収容されていた化粧品が外部へ排出されるようにすることができ、補助ボタン９１とメインボタン９２を含んで構成されることができる。
【０１１４】
補助ボタン９１は、一端が昇降部材２３の上面に安着されて、他端が下向き傾くように形成されて容器本体１０に安着（具体的には上部本体１１に安着）されて、後述するメインボタン９２に弾性力を提供する。
【０１１５】
メインボタン９２は、補助ボタン９１の上部に安着されて、一端に突起部９３が形成され、一部分が昇降部材２３の上面に安着される。この際、昇降部材２３の上面で補助ボタン９１の一端が安着される部分とメインボタン９２の一部分が安着される部分とは、互いに正反対に位置することができる。これは、メインボタン９２と補助ボタン９１とによって昇降部材２３が下降する時、昇降部材２３が傾かないで安定に下降することを具現するためである。
【０１１６】
メインボタン９２の突起部９３は、縁部６０の貫通口６３へ露出してユーザーによって加圧されることができる。ユーザーが突起部９３を押すと、メインボタン９２で昇降部材２３の上面に位置する部分が下降することになり、メインボタン９２によって加圧される補助ボタン９１で昇降部材２３の上面に位置する一端が下降することになる。したがって、メインボタン９２と補助ボタン９１とによって昇降部材２３が下降しながら化粧品が吐出板５０へ排出されることができる。
【０１１７】
本実施例では、上記のようなボタン部９０の代わりに容器本体１０の側面に突き出されてユーザーによって加圧されると、ポンプ２０を作動させるボタン部（図示せず）を具備することができる。それ以外にも本実施例では、ポンプ２０を作動させる多様な構造を採用することができ、一例としてねじ回転方式を利用してポンプ２０を作動させるような構成を含むこともできる。
【０１１８】
このように本実施例は、第１実施例とは異なり、縁部６０が直接下降せずに、ボタン部９０を利用して吐出板５０に化粧品が吐出されるようにして、第１実施例でユーザーがパフなどで吐出板５０を押すことで化粧品が吐出されるようにする場合、パフによって吐出口５１が塞がれて化粧品の吐出が円滑に行われないという点を補って、化粧品の排出がより簡便に行われるようにしてユーザーの満足度を極大化することができる。
【０１１９】
図９は、本発明の第３実施例による化粧品容器のガイド板の平面図で、図１０は、本発明の第３実施例による化粧品容器の網部材の平面図である。図９及び図１０を参照すれば、本発明の第３実施例による化粧品容器は、前に説明した実施例に対比すると、ガイド板３０の排出路３２と網部材４０とのメッシュ部分４１が異なっている。
【０１２０】
以下では、本実施例での構成の中で第１実施例及び第２実施例と異なっている部分を重点的に説明する。ただし、本実施例の構成が第１実施例及び第２実施例の構成と図面符号が同一であるからと言って必ずしも同じ構成を意味するものではない。
【０１２１】
ガイド板３０は、ポンプ２０の上部に結合されてポンプ２０によって排出される化粧品をガイドする。ガイド板３０は、第１実施例で説明したように、排出口３１、排出路３２、縁路３３を具備するが、排出路３２がガイド板３０の中心である排出口３１より遠ざかるほど縮小または拡張されるような形態を有する。
【０１２２】
ポンプ２０から化粧品が吐出される時、化粧品は排出口３１を通過して排出路３２に沿って移動した後、吐出板５０の吐出口５１を介して外部へ排出されるが、吐出板５０の中心より遠く位置した吐出口５１から化粧品が吐出されるためには、排出口３１から排出路３２の一地点（中心より遠く位置した吐出口５１に連通される地点）まで化粧品が十分に充填されなければならないことで、中心より遠く位置した吐出口５１での化粧品の吐出量が足りなくなることが生じ得る。
【０１２３】
したがって、本実施例では、排出路３２が排出口３１から遠ざかるほど縮小されるような形態を有するようにすることで、排出路３２での化粧品の残留量を最小化し、吐出板５０の吐出口５１が吐出板５０の中心から遠く位置していても十分な量の化粧品が吐出されるようにすることができる。
【０１２４】
網部材４０は、ポンプ２０から化粧品が排出される一側に具備されて、少なくとも一部分がメッシュ形態で形成される。すなわち、化粧品は網部材４０からメッシュ部分４１を介して外部へ吐出されるので、本実施例は、粘度の低い化粧品を使用する時にポンプ２０から吐出される化粧品が跳ね上がることを防止することができる。
【０１２５】
メッシュ部分４１は、排出路３２に対応する形態を有する。すなわち、メッシュ部分４１は、排出路に対応するように放射状で形成されて、中心より遠ざかるほど縮小または拡張（好ましくは縮小）される形態であることができる。これは、メッシュ部分４１が十分に排出路３２をカバーして底粘度の化粧品の跳ね上がりを防止するためのものである。
【０１２６】
このように本実施例では、ガイド板３０の排出路３２が排出口３１から遠ざかるほど縮小されるような形態を有するようにして、吐出板５０に形成されたすべての吐出口５１から十分な量の化粧品が吐出されるようにすることで、ユーザーの満足度を高めることができる。
【０１２７】
図１１は、本発明の第４実施例による化粧品容器の斜視図で、図１２は、本発明の第４実施例による化粧品容器の断面図で、図１３は、本発明の第４実施例による化粧品容器のロックキング部の斜視図である。
【０１２８】
図１１ないし図１３を参照すれば、本発明の第４実施例による化粧品容器１は、ロックキング部１００をさらに含む。以下では本実施例での構成の中で第１ないし第３実施例と異なっている部分を重点的に説明する。ただし、本実施例の構成が第１ないし第３実施例の構成と図面符号が同一であるからと言って必ずしも同じ構成を意味するものではない。
【０１２９】
ロックキング部１００は、ポンプ２０の化粧品の排出を制限する。ロックキング部１００は、一部分が外側カバー７０の外面に突き出されて、ユーザーによって必要時に加圧されることでポンプ２０の作動を制限することができる。
【０１３０】
本実施例がロックキング部１００を含むのは、ユーザーが吐出板５０を加圧しながら化粧品がポンプ２０から吐出板５０の上面に吐出されるようにした後、パフを利用して吐出板５０上で化粧品を均等に広げる作業を遂行する時、ユーザーがパフで化粧品を擦る過程で吐出板５０の加圧が行われて、ユーザーが意図しないように化粧品の排出が発生しえるからである。
【０１３１】
したがって、本実施例では、ロックキング部１００を具備することで、ユーザーが使おうとする量だけの化粧品を吐出板５０の上面に吐出させた後、ロックキング部１００を押して化粧品の吐出を制限するようにして、ユーザーにとってパフを利用して便利に吐出板５０に吐出された化粧品を取って使用できるようにする。
【０１３２】
このためにロックキング部１００は、ユーザーが把持する外側カバー７０に形成されることが好ましく、少なくとも一つ以上に具備されていずれか一つのロックキング部１００を作動させても円滑にポンプ２０の排出が制限されるようにすることができる。一例として、ロックキング部１００は、外側カバー７０と蓋８０とのヒンジ結合部分の左右にそれぞれ具備されることができる。
【０１３３】
ロックキング部１００は、弾性片１０１、突起部１０２、ロッキング突起１０３を含む。弾性片１０１は、ロックキング部１００の少なくとも一側（好ましくは両側）に一定の長さで突き出されるように具備されて、弾性力を有する。弾性片１０１の弾性力は、突起部１０２に適用されて外力がない時、突起部１０２が容器本体１０の外側に突き出されるようにすることができる。
【０１３４】
弾性片１０１の一端は、後述する突起部１０２に連結されて、他端は容器本体１０の外面に密着されることができる。この際、突起部１０２がユーザーによって内側へ押されると、弾性片１０１の他端は、容器本体１０の外面に沿って滑りながら突起部１０２の引入を許容する。
【０１３５】
突起部１０２は、外側カバー７０の外部へ露出して、ユーザーによって加圧される。このために外側カバー７０には突起部１０２の形状に対応する貫通口（符号図示せず）が形成されることができる。
【０１３６】
突起部１０２は、ユーザーが便利に押すことができるようにすると同時に、美観を向上させるために曲面形状を有することができ、外面に摩擦面が形成されてユーザーの便宜性を高めることができる。
【０１３７】
突起部１０２は、ポンプ２０の中心を基準に外側方向へ弾性片１０１によって弾性力を受けて、ユーザーによって押されると、ポンプ２０の中心方向に移動する。この際、ロックキング部１００はロッキング突起１０３が突起部１０２とともに動くことによってロッキングが行われるようにすることができる。
【０１３８】
ロッキング突起１０３は、突起部１０２に具備されて吐出板５０の下降を制限する。具体的に、ロッキング突起１０３は突起部１０２がユーザーによって加圧される時、ポンプ２０の中心を基準に外側から内側へ移動することができ、内側へ移動したロッキング突起１０３は、吐出板５０の下降を制限する。
【０１３９】
この際、ロッキング突起１０３の上面は、縁部６０の中で下降されることができる構成である内側縁部６１の下端に密着されることで、内側縁部６１の下降を制限し、これによって吐出板５０の下降を制限してポンプ２０の化粧品排出を制限することができる。
【０１４０】
もちろん、本実施例は、前述の第２実施例で説明したボタン部９０を組み合わせて使用することができ、この際、ロックキング部１００はボタン部９０の下降を制限してポンプ２０の稼動が行われないようにすることができる。この際、ロックキング部１００のロッキング突起１０３は、突起部１０２の引入によってボタン部９０の下面に密着されることで、ボタン部９０の作動を制限することができる。
【０１４１】
このように本実施例では、吐出板５０に化粧品が吐出された後、ユーザーがロックキング部１００を介してポンプ２０の稼動を簡便に制限できるようにして、ユーザーが吐出板５０に排出された化粧品をパフで押しながら均等にならす作業をしても化粧品の排出が行われないようにすることで、化粧品の無駄使いを防止してユーザーの満足度を大幅に高めることができる。
【０１４２】
以下では、具体的な実験資料を利用して、本発明に対する化粧品容器１の冷却效果を立証及び説明する。
【０１４３】
図１４は、本発明による化粧品容器の冷感效果に対するユーザーの満足度を示すグラフで、図１５は、本発明による化粧品容器の温度変化を示すグラフである。
【０１４４】
下記の表１は、本発明による化粧品容器１と従来の化粧品容器とを特定温度に放置した後、１分後に使用した時のユーザーの満足度を調査したものであり、５点尺度で、５０人のユーザーによって調査された満足度を平均したものである。表１の数値をグラフ化して図１４で示した。
【０１４５】
【表１】
2016534761.tif 000003
【０１４６】
表１と図１４とを参考すれば、本発明による化粧品容器１は、ポンプ２０、具体的にはエアリスポンプまたは含浸スポンジで構成される排出手段２０と吐出板５０とを含むので、排出手段２０の種類に応じて実施例が二通りに区分されることができる。また、従来の化粧品容器は、化粧品をエアリスポンプで排出する場合と、含浸スポンジで排出する場合とに分けられることができる。
【０１４７】
本発明による化粧品容器１の中で、エアリスポンプ２０と金属吐出板５０とで構成される実施例の場合、各温度で保管された後に使用した時のユーザー満足度が本発明の他の実施例または従来の化粧品容器よりもすぐれるように示されたことが分かる。
【０１４８】
また、本発明による化粧品容器１の中で、含浸スポンジと金属吐出板５０とで構成される実施例の場合、各温度で保管された後、使用した時のユーザー満足度が従来の化粧品容器よりもすぐれるように示された。
【０１４９】
このように本発明による化粧品容器１の冷感效果に対するユーザー満足度が従来の化粧品容器よりも高く示されたのは、金属材質の吐出板５０によってエアリスポンプ２０または含浸スポンジから吐出された化粧品が效果的に冷却されるからである。反面、エアリスポンプまたは含浸スポンジのみで構成される従来の化粧品容器は、化粧品を冷却する效果を全然導き出すことができないため、ユーザー満足度が低く算出された。
【０１５０】
本発明による化粧品容器１の冷却效果は、下記表２及び図１５を通じて具体的に立証されることができる。
【０１５１】
【表２】
2016534761.tif 000004
【０１５２】
表２は、本発明による化粧品容器１と従来の化粧品容器とを特定温度（５０℃）で一定の時間保管（温度が一定に維持される恒温器にそれぞれの化粧品容器を入れて、恒温器の温度が容器に完全に伝達されるまで保管し、本実験では４時間保管した。）した後、常温２０℃で１分放置した後の容器の表面（ユーザーがパフを利用して化粧品を塗る表面を意味し、本発明による化粧品容器１の場合における吐出板５０の上面を意味し、エアリスポンプを具備する従来の化粧品容器の場合におけるエアリスポンプの排出口部分を意味し、含浸スポンジを具備する従来の化粧品容器の場合における含浸スポンジの上面を意味する。）の温度を時間別に測定して示したものである。各実施例別に３個ずつ測定して平均値を示しており、表２の数値をグラフ化して図１５で示した。
【０１５３】
表２及び図１５を参照すれば、本発明による化粧品容器１の中でエアリスポンプ２０を排出手段２０とする実施例の場合、常温放置後１分経過した時点から１５秒間隔でよく調べると、表面の温度低下が急激に現われて、６０秒が経過すると表面が２７．５℃まで冷却されることを確認することができる。
【０１５４】
また、本発明による化粧品容器１の中で含浸スポンジを排出手段２０とする実施例の場合には、表面の温度低下が十分に起きることを確認することができ、６０秒経過のとき表面が３１．１℃まで冷却される。
【０１５５】
ところで、従来の化粧品容器は、５０℃まで保管された後に常温に露出された場合、急激な温度の低下を具現することができる構成を含んでいないため、エアリスポンプを有する従来の化粧品容器は、６０秒経過後３５℃以上に維持され、また含浸スポンジを有する従来の化粧品容器は６０秒経過後約４０℃まで温度が維持される。
【０１５６】
すなわち、上記のような実験資料をよく調べて見ると、本発明による化粧品容器１は、金属材質で構成される吐出板５０で、５０℃まで加熱されてから２０℃の常温に露出された時に急激に温度の低下が起きるようにすることで、化粧品が吐出板５０の上面に吐出された場合、化粧品に冷感效果を与えることができる。したがって、本発明の化粧品容器１が有する冷感效果は、このような温度測定の結果を通じてはっきりと現われるもので、従来の化粧品容器に対比して著しいものであることが分かり、これによって本発明はユーザー満足度を大幅に向上させることができるものである。
【０１５７】
ただし、本発明による化粧品容器１は、排出手段２０として含浸スポンジを使用する場合よりもエアリスポンプ２０を使用する場合に温度の低下效果が高く現われるが、これはエアリスポンプ２０の場合、吐出板５０との接触面積が小さいか、またはほとんどなく、５０℃で保管される時化粧品に吸収された熱が吐出板５０へ伝達されないからである。
【０１５８】
このように本発明による化粧品容器１は、吐出板５０を金属材質で構成するによって吐出板５０の上面で急激な冷却が行われるようにして、化粧品が吐出される時に化粧品に内包された熱が外部に放出されるようにすることで、クーリング感に対するユーザーの満足度を極大化することができる。
【０１５９】
以下では具体的な実験資料を利用し、本発明に対する化粧品容器１の抗菌效果を立証及び説明するようにする。
【０１６０】
図１６は、本発明による化粧品容器の細菌繁殖度を示すグラフで、図１７は、従来の含浸スポンジに対する汚染度を示す図面であり、表３は、本発明による化粧品容器及び従来の化粧品容器の細菌繁殖数値を示す表である。表３の数値をグラフ化して図１６で示した。
【０１６１】
図１６及び表３での実験の場合、防腐剤が添加されていない化粧品を利用しており、本発明による化粧品容器１で排出手段２０がエアリスポンプ２０である場合と、含浸スポンジである場合に分けて実験し、含浸スポンジを有する従来の化粧品容器を対照群に置いて実験を進行した。また、４週間の間ユーザーがパフを利用して化粧品容器の化粧品を取って塗るようにした。
【０１６２】
また、図１７での実験の場合、肌に紫外線遮断剤（ＵＶランプで蛍光色を帯びるジソジウムフェニルベンズイミダゾールスルホン酸を含む製品）を塗って、一般的な使い方で含浸スポンジに含浸されている化粧品を１週間ないし２週間の間にわたって使用することによって紫外線遮断剤が含浸スポンジに残留するかどうかについてＵＶランプで確認した。
【０１６３】
【表３】
2016534761.tif 000005
【０１６４】
本発明による化粧品容器１は、金属の吐出板５０を含んでいるため、ユーザーがパフを利用して吐出板５０に吐出された化粧品を取って塗っても、パフに付着していたユーザー肌の角質などは、吐出板５０の吐出口５１以外には排出手段２０に引入されることができない。したがって、表３及び図１６に示されたように、本発明による化粧品容器１は、吐出板５０を具備しない従来の化粧品容器に比べて、細菌の増殖が相対的に非常に少なく起きるか、または全く起きないことを確認することができる。
【０１６５】
本発明の化粧品容器１は、吐出板５０の吐出口５１の直径を十分に小さく形成（１ｍｍ以内）するため、構造的には吐出口５１を介して排出手段２０が外部と連通されると言っても、実質的に角質などのような栄養分が細菌に供給されることは非常に難しい。また、本発明の化粧品容器１がエアリスポンプ２０を使用する場合には、吐出口５１がエアリスポンプ２０の出口と交互に配置されることができるので、栄養分の供給を完全に遮断することができる。したがって、本発明の化粧品容器１がエアリスポンプ２０を使用する場合には、細菌の繁殖が全く起きないことを確認した。
【０１６６】
一方、含浸スポンジを利用する従来の化粧品容器は、含浸スポンジの上面全体が外部に露出しており、パフが含浸スポンジに直接接触する方法なので、パフに付着していた角質などが含浸スポンジの細菌に持続的に供給される。したがって、パフを利用して化粧品を含浸スポンジから排出させることによって細菌は急激に増殖することが分かる。
【０１６７】
特に、図１７を参考すれば、ユーザーがパフを利用して含浸スポンジに含浸された化粧品を使用するほど、ユーザーの肌に付着していた紫外線遮断剤が含浸スポンジに移ったことを明確に確認することができる。これは、結局ユーザーの肌角質も同様に含浸スポンジに付着するようになることを意味し、これによって従来の化粧品容器では細菌の繁殖が絶えずに生じることができることが分かる。
【０１６８】
一方、本発明による化粧品容器１は、吐出板５０を利用してパフが直接排出手段２０に接触することを效果的に遮断することができる。特に、本発明の化粧品容器１がエアリスポンプ２０を使用する場合には、ユーザーがパフを利用して化粧品を継続的に使用してもエアリスポンプ２０の内部に収容された化粧品に角質などが流入されることが構造的に全く不可能である。
【０１６９】
このように本発明による化粧品容器１は、小径の吐出口５１を有する吐出板５０を具備することで、パフが直接排出手段２０の出口に接触しないようにし、ユーザーがパフを利用して化粧する時、化粧品に残留した細菌にパフを介して栄養分が供給されることを防止することができ、これによって化粧品の汚染を完璧に遮断することができる。
【０１７０】
下記表４は、本発明による化粧品容器の細菌生存数値を示す表である。本実験は、細菌類（大膓菌、化膿菌、緑膿菌）あるいは真菌類（Ａｓｐｅｒｇｉｌｌｕｓ  ｎｉｇｅｒ、Ｃａｎｄｉｄａ  ａｌｂｉｃａｎｓ）を本発明による化粧品容器１の排出手段２０内の化粧品（防腐剤未添加）に接種し、日ごとに生菌の数を測定するような方法で行われた。
【０１７１】
この際、細菌数は、１ｇの化粧品を採取して中和液に１０倍希釈した後、ＳＤＣ培地に塗抹し、３７℃の恒温槽に２４時間以上培養してコロニー数（菌数）を観察して示し、真菌数は１ｇの化粧品を採取して中和液に１０倍希釈した後、ＳＤＡ培地に塗抹して３０℃の恒温槽に２４時間以上培養してコロニー数（菌数）を観察した。
【０１７２】
【表４】
2016534761.tif 000006
【０１７３】
本発明による化粧品容器１は、排出手段２０としてエアリスポンプ２０または含浸スポンジを有することができる。ところで、エアリスポンプ２０の場合、空気の侵入を防止することができるような構造である反面、含浸スポンジの場合、空気の侵入がある程度許容されることができる。
【０１７４】
表４を参考すれば、本発明による化粧品容器１の排出手段２０がエアリスポンプ２０の場合、細菌類及び真菌類いずれも二日目に２０未満に急激に減少したことを確認することができる。これは、エアリスポンプ２０の場合、内部に収容された化粧品に空気などの流入が遮断されることによって細菌に生存のための栄養分が全く供給されなかったからである。
【０１７５】
一方、本発明による化粧品容器１の排出手段２０が含浸スポンジである場合、細菌類及び真菌類いずれもエアリスポンプ２０を使用する場合に比べて生菌の数が相対的に多いことを確認することができる。
【０１７６】
すなわち、上記の実験結果を考慮する時、本発明による化粧品容器１は、排出手段２０として含浸スポンジの代りにエアリスポンプ２０を利用することで、細菌の生存を最小化して化粧品の汚染を革新的に防止することができる。
【０１７７】
以下では具体的な実験資料を利用して、本発明に対する化粧品容器１の耐久性及び衛生性について説明する。
【０１７８】
図１８は、本発明による化粧品容器の吐出板材質による摩耗を示す図面である。図１８に示された実験に使用された本発明による化粧品容器１の吐出板５０の材質は、ＳＵＳ３０４ステンレス金属材質であり、対照群として使用された吐出板５０の材質は、一般的なプラスチックである。
【０１７９】
図１８に示されたように、パフを利用して化粧品が吐出される吐出板５０の上面を２０回ほど擦った場合、金属材質である吐出板５０にはスクラッチが全く現われないことを確認することができる。しかし、プラスチック材質の場合には、２０回だけの使用でも多くのスクラッチが発生したことを明確に確認することができる。
【０１８０】
すなわち、本発明による化粧品容器１は、プラスチックではない金属材質の吐出板５０を利用することで、化粧品がパフによって吐出板５０の上面で擦られる時、吐出板５０が摩耗することを效果的に防止することができる。また、本発明は、スクラッチの発生を抑制するので、スクラッチに化粧品が残留することによって美観を害して汚染を加速化する従来の化粧品容器１に比べて、耐久性とともに衛生性を確保することができる。
【０１８１】
この際、本発明の化粧品容器１に使用される化粧品は、炭酸カルシウム（ＣａＣｏ３）、酸化チタン（ＴｉＯ２）、タルク（Ｔａｌｃ）、天然鉱物または金属化合物などのような固形微粒子である無機顔料（Ｉｎｏｒｇａｎｉｃ  Ｐｉｇｍｅｎｔ）を含むことができるが、化粧品が強い硬度を有する無機顔料を含むことによって吐出板５０の上面でパフによって化粧品が使用される時、吐出板５０の摩耗が憂慮されうる。したがって、本発明の化粧品容器１の吐出板５０は、ビッカース硬さ値（Ｖｉｃｋｅｒｓ  Ｈａｒｄｎｅｓｓ）が１２０ＨＶ値ないし２００ＨＶ値であることができる。この際、ビッカース硬さ値はＡＳＴＭ  Ｅ９２でテストした数値であり、ダイヤモンド測定対象を押した時入って行く面積を数値化したものである。
【０１８２】
したがって、本発明は、吐出板５０のビッカース硬さ値が１２０ＨＶ値以上になるようにすることで、強い硬度の無機顔料が含まれた化粧品を使用しても、パフによる摩擦が発生する時吐出板５０に傷や摩耗が発生することを效果的に防止することができる。
【０１８３】
また、本発明は、吐出板５０のビッカース硬さ値が２００ＨＶ以下になるようにして吐出板５０の製造コストを最適化し、加工及び成形（吐出口５１形成のためのエッチング作業など）を容易に行うようにすることができる。
【０１８４】
また、本発明は吐出板５０の上面が外部へ露出されるようにし、吐出板５０の上面に吐出された化粧品をユーザーがパフで取って塗るようにすることで、パフで化粧品を取って塗るようにする面が排出手段２０と離隔されるようにし、パフが触れる面をいつでも拭き上げて衛生を清潔に維持することができるという長所がある。
【０１８５】
下記表５に示されたように、排出手段２０がエアリスポンプ２０、または含浸スポンジである本発明の化粧品容器１と、エアリスポンプのみで構成されるか、または含浸スポンジのみで構成される従来の化粧品容器に対し、５０人のユーザーが使用する過程で感じる衛生性を５点満点で評価した結果、衛生的な側面から本発明の化粧品容器１が従来の化粧品容器に比べて非常に良い評価を受けたことを確認することができる。
【０１８６】
特に、含浸スポンジのみで構成された従来の化粧品容器に比べた場合、本発明は、吐出板５０を具備することで、衛生性を極大化することができることが分かる。
【０１８７】
【表５】
2016534761.tif 000007
【０１８８】
したがって、本発明は、排出手段２０から吐出された化粧品が吐出板５０の上面に安着されるようにして、外部へ露出した吐出板５０の上面に付着していた化粧品を拭き上げるようにし、従来の化粧品容器に比べて衛生性を高めてユーザーの肌にトラブルが生ずることを防止することができる。
【０１８９】
このように本発明は、クーリングに対するユーザー満足度及び表面温度変化の実験資料などによって冷感效果に優れていることが分かり、細菌の生存数値と細菌の繁殖数値などについての実験資料を通じて抗菌性を確保していることが分かり、スクラッチ発生の可否に対する実験資料と衛生性に対するユーザー満足度を通じて耐久性とともに衛生性を有することが分かる。したがって、本発明は、上記のような長所等によってユーザーの全体的な満足度を極大化するような效果を有する。
【０１９０】
以上、本発明について具体的な実施例を通じて詳しく説明したが、これは、本発明を具体的に説明するためのもので、本発明はこれに限定されず、本発明の技術的思想内で当該分野における通常の知識を有する者によってその変形や改良が可能であることは明白である。
【０１９１】
さらに、本発明の単なる変形ないし変更は、いずれも本発明の範疇に属するもので、本発明の具体的な保護範囲は添付された特許請求の範囲によって明確になる。
【符号の説明】
【０１９２】
１  化粧品容器
１０  容器本体
１１  上部本体
１２  下部本体
１３  加圧板
１４  空気流入口
２０  排出手段、ポンプ
２１  シリンダー
２１１  中空
２１２  第１の孔
２２  ピストン
２２１  中空
２２２  第２の孔
２２３  フランジ
２３  昇降部材
２４  ピストンリング
２５  密閉部材
２６  弾性部材
２７  逆流防止部材
３０  ガイド板
３１  排出口
３２  排出路
３３  縁路
３４  シーリング部材
３５  ガイドリブ
３６  突出部
３７  突起
３８  補助縁路
３９  パッキング材
４０  網部材
４１  メッシュ部分
４２  陷沒部
５０  吐出板
５１  吐出口
５２  結合口
６０  縁部
６１内側縁部
６１１  内側鋸歯
６２  外側縁部
６２１  外側鋸歯
６３  貫通口
７０  外側カバー
７１  開放部
７２  掛け部
７２１  ボタン
７２２  掛け金
８０  蓋
８１  鏡
９０  ボタン部
９１  補助ボタン
９２  メインボタン
９３  突起部
１００  ロックキング部
１０１  弾性片
１０２  突起部
１０３  ロッキング突起
【図１】
2016534761.tif 000008
【図２】
2016534761.tif 000009
【図３】
2016534761.tif 000010
【図４】
2016534761.tif 000011
【図５】
2016534761.tif 000012
【図６】
2016534761.tif 000013
【図７】
2016534761.tif 000014
【図８】
2016534761.tif 000015
【図９】
2016534761.tif 000016
【図１０】
2016534761.tif 000017
【図１１】
2016534761.tif 000018
【図１２】
2016534761.tif 000019
【図１３】
2016534761.tif 000020
【図１４】
2016534761.tif 000021
【図１５】
2016534761.tif 000022
【図１６】
2016534761.tif 000023
【図１７】
2016534761.tif 000024
【図１８】
2016534761.tif 000025
【手続補正書】
【提出日】平成28年3月15日(2016.3.15)
【手続補正１】
【補正対象書類名】特許請求の範囲
【補正対象項目名】全文
【補正方法】変更
【補正の内容】
【特許請求の範囲】
【請求項１】
化粧品を外部へ排出させる排出手段と、
前記排出手段から前記化粧品が排出される一側に具備されていると共に、少なくとも一つ以上の吐出口を具備しており、且つ金属材質からなる吐出板であって、ユーザーのパフが接触でき、且つ熱を外部へ発散できるように外部へ露出されている吐出板と、
を含むことを特徴とする化粧品容器。
【請求項２】
前記排出手段は、ポンプであることを特徴とする請求項１に記載の化粧品容器。
【請求項３】
前記吐出板は、ＳＵＳ３００系列の金属材質からなることを特徴とする請求項２に記載の化粧品容器。
【請求項４】
前記吐出板は、ＳＵＳ３０４材質からなることを特徴とする請求項３に記載の化粧品容器。
【請求項５】
前記吐出板は、３０１Ｌ、３０４Ｌ、３０４ＬＮ、３０４Ｎ１、３０４Ｊ１、３０５ＥＧ、３０９Ｓ、３１０Ｓ、３１６、３１６Ｌ、３１６ＬＮ、３１６Ｔｉ、３１７Ｌ、３２１、３４７、３２９Ｊ３Ｌ、３２９ＬＤのうち少なくともいずれか一つの材質からなることを特徴とする請求項３に記載の化粧品容器。
【請求項６】
前記吐出板は、厚さが０．１ないし１ｍｍであることを特徴とする請求項２に記載の化粧品容器。
【請求項７】
前記吐出板は、厚さが０．２ないし０．３ｍｍであることを特徴とする請求項２に記載の化粧品容器。
【請求項８】
前記吐出板は、鉄、ステンレス、銅、亜鉛、スズ、アルミニウムを含む群から選ばれるいずれか一つからなるか、または前記群から選ばれる少なくとも二つ以上を組み合わせた合金からなることを特徴とする請求項２に記載の化粧品容器。
【国際調査報告】
2016534761.tif 000026
2016534761.tif 000027
2016534761.tif 000028
2016534761.tif 000029